(57)【要約】【課題】  レール部材等の物体において実装される接続装置を提供すること。【解決手段】  接続装置は物体に取り外し可能に接続される。物体は接続部を含む。接続装置は接続部材と、係合部材と、取り付け部材とを含む。接続部材はベースと、該ベースに接続される接続部とを含む。係合部材は接続部材に接続され、係合部を有する。取り付け部材は接続部材に取り付けられる。取り付け部材と、物体の接続部とが互いに当接した場合、係合部材の係合部は、接続部材のベースが物体に接続されるように物体の係合位置で物体と係合できる。係合部材は、取り付け部材が物体の接続部から外れて接続部材を物体から取り外すことができるよう係合部を物体の係合位置から外すように動作可能である。【選択図】  図３
2020012549.tif 000002
【特許請求の範囲】
【請求項１】
接続部を含む物体に取り外し可能に接続される接続装置であって、当該接続装置は、
ベースと、該ベースに接続される接続部とを含む接続部材と、
前記接続部材に接続される係合部材であって、該係合部材は少なくとも１つの係合部を有する、係合部材と、
前記接続部材に固定取り付けされる少なくとも１つの取り付け部材と、
を含み、
前記少なくとも１つの取り付け部材と、前記物体の接続部とが互いに当接した場合、前記係合部材の少なくとも１つの係合部は、前記接続部材のベースが前記物体に接続されるように前記物体の係合位置で前記物体と係合でき、
前記係合部材は、前記少なくとも１つの取り付け部材が前記物体の接続部から外れて前記接続部材を前記物体から取り外すことができるよう前記少なくとも１つの係合部を前記物体の係合位置から外すように動作可能である、接続装置。
【請求項２】
前記接続部材のベースは第１の面と、該第１の面と反対の第２の面とを有し、
前記係合部材は前記接続部材のベースの第１の面に接続され、前記少なくとも１つの取り付け部材は前記接続部材のベースの第２の面に固定接続されている、請求項１に記載の接続装置。
【請求項３】
前記物体の接続部は入口端、閉鎖端及び該入口端と該閉鎖端との間にある中間区画を含み、
前記物体の係合位置は前記物体の入口端にあり、前記接続部材のベースは前記係合部材の少なくとも１つの係合部が貫通するための少なくとも１つの貫通孔を有し、該少なくとも１つの貫通孔は前記物体の入口端に対応し、
前記物体の接続部の入口端は第１の幅を有し、前記接続部の中間区画は該第１の幅よりも小さい第２の幅を有し、
前記少なくとも１つの取り付け部材は頭部及び本体部を含み、該頭部の外形寸法は前記第１の幅よりも小さいが前記第２の幅よりも大きく、
前記頭部が前記物体の接続部の入口端に入り、前記中間区画を通って前記閉鎖端と当接した場合、前記頭部は、前記頭部が前記物体の接続部の入口端から自由に外れることができないように前記係合部材の少なくとも１つの係合部を通じて前記係合位置で前記物体と係合する、請求項１に記載の接続装置。
【請求項４】
前記物体の接続部は入口端、閉鎖端及び該入口端と該閉鎖端との間にある中間区画を含み、前記物体の接続部の入口端は第１の幅を有し、前記物体の接続部の中間区画は該第１の幅と実質的に等しい第２の幅を有し、
前記少なくとも１つの取り付け部材は頭部及び本体部を含み、該頭部の外形寸法は前記第１の幅よりも大きく、該本体部の外形寸法は前記第１の幅よりも小さく、前記頭部が前記物体の接続部の入口端に入り前記中間区画を通って前記閉鎖端に当接した場合、前記頭部は、前記頭部が前記物体の接続部の入口端から自由に外れることができないように前記係合部材の少なくとも１つの係合部を通じて前記係合位置で前記物体と係合し、
前記係合部材は、前記少なくとも１つの係合部に接続される少なくとも１つの弾性アームを有する、請求項１に記載の接続装置。
【請求項５】
前記物体はレール部材であり、前記接続部材の接続部はケーブル管理アームに接続されるように構成されている、請求項１に記載の接続装置。
【請求項６】
前記接続部材に枢結される操作部材をさらに含み、
前記操作部材は、前記操作部材の操作を通じて前記係合部材の少なくとも１つの係合部が前記接続部材に対して可動となるように前記係合部材の一部と当接する接触部を有し、
前記物体は別の接続部と、前記接続部材に固定取り付けされる別の取り付け部材とをさらに含み、
前記接続部材が前記物体に接続された場合、前記別の取り付け部材と前記別の接続部とが互いに当接し、前記物体の係合位置は前記物体の位置決め孔にあり、該位置決め孔の位置は前記接続部の位置とは異なる、請求項１に記載の接続装置。
【請求項７】
接続部を含むレール部材に取り外し可能に接続される接続装置であって、当該接続装置は、
ベースと、該ベースに接続される接続部とを含む接続部材と、
前記接続部材に接続される係合部材であって、該係合部材は少なくとも１つの係合部を有する、係合部材と、
前記接続部材に取り付けされる少なくとも１つの取り付け部材であって、該少なくとも１つの取り付け部材は頭部及び本体部を含む、少なくとも１つの取り付け部材と、
を含み、
前記レール部材の接続部は入口端、閉鎖端及び該入口端と該閉鎖端との間にある中間区画を含み、前記レール部材の接続部の入口端は第１の幅を有し、該中間区画は該第１の幅よりも小さい第２の幅を有し、
前記少なくとも１つの取り付け部材の頭部の外形寸法は前記第１の幅よりも小さいが前記第２の幅よりも大きく、前記頭部が前記レール部材の接続部の入口端に入り前記中間区画を通って前記閉鎖端と当接した場合、前記係合部材の少なくとも１つの係合部は、前記頭部が前記レール部材の接続部の入口端から自由に外れないように前記レール部材の係合位置で前記レール部材と係合し、
前記係合部材は、前記少なくとも１つの取り付け部材が前記レール部材の接続部から外れて前記接続部材を前記レール部材から取り外すことができるよう前記少なくとも１つの係合部を前記レール部材の係合位置から外すように動作可能である、接続装置。
【請求項８】
前記係合部材は前記少なくとも１つの係合部に接続される少なくとも１つの弾性アームを有し、前記接続部材のベースは第１の面と、該第１の面の反対の第２の面とを有し、
前記係合部材は前記接続部材のベースの第１の面に接続され、前記少なくとも１つの取り付け部材は前記接続部材のベースの第２の面に固定取り付けされる、請求項７に記載の接続装置。
【請求項９】
前記接続部材のベースは前記係合部材の少なくとも１つの係合部が貫通するための少なくとも１つの貫通孔を有し、該少なくとも１つの貫通孔は前記レール部材の入口端に対応し、前記接続部材の前記接続部はケーブル管理アームに接続されるように構成されている、請求項７に記載の接続装置。
【請求項１０】
前記接続部材に枢結される操作部材をさらに含み、
前記操作部材は、前記操作部材の操作を通じて前記係合部材の少なくとも１つの係合部が前記接続部材に対して可動となるように前記係合部材の一部と当接する接触部を有する、請求項７に記載の接続装置。
【発明の詳細な説明】
【技術分野】
【０００１】
本発明は接続装置に関し、より具体的にはレール部材等の物体において実装される接続装置に関する。
【背景技術】
【０００２】
特許文献１にはケーブル管理アーム及びスライドアセンブリのための接続装置が記載されている。具体的には、特許文献１の図１に示すように、また、特許文献１の第４欄、２７行目に記載されているように、スライドアセンブリ（１２）のレール（２０）は、接続装置（１４）を通じてケーブル管理アーム（１０）の第１のアーム（１６）の接続部材（２６）に接続することができ、接続装置の挿入部品（３０）はスライドアセンブリ（１２）のレール（２０）に固定される。そのため、挿入部品（３０）はレール（２０）から取り外すことができない。
【先行技術文献】
【特許文献】
【０００３】
【特許文献１】米国特許第８８３３７１５号明細書
【特許文献２】米国特許第９１６７７１７号明細書
【特許文献３】米国特許第８６３４１９８号明細書
【特許文献４】米国特許第７４７３８４６号明細書
【発明の概要】
【発明が解決しようとする課題】
【０００４】
しかしながら、接続装置（１４）の挿入部品（３０）はレール（２０）に固定接続されている（即ち、レールから取り外し可能でない）。そのため、スライドアセンブリのレールの操作、メンテナンス又は構造的な構成に関して、接続装置（１４）はそのようなレールの市場の要求に影響を与え得るスライドレールの余分な部品（superfluous  component）である。
【０００５】
本発明は物体において実装される接続装置に関する。
【課題を解決するための手段】
【０００６】
本発明の一態様によれば、接続装置は物体に取り外し可能に接続される。物体は接続部を含み、接続装置は接続部材と、係合部材と、少なくとも１つの取り付け部材とを含む。接続部材はベースと、該ベースに接続される接続部とを含み、係合部材は接続部材に接続され、係合部材は少なくとも１つの係合部を有し、少なくとも１つの取り付け部材は接続部材に固定取り付けされ、少なくとも１つの取り付け部材と、物体の接続部とが互いに当接した場合、係合部材の少なくとも１つの係合部は、接続部材のベースが物体に接続されるように物体の係合位置で物体と係合でき、係合部材は、少なくとも１つの取り付け部材が物体の接続部から外れて接続部材を物体から取り外すことができるよう少なくとも１つの係合部を物体の係合位置から外すように動作可能である。
【０００７】
接続部材のベースは第１の面と、該第１の面と反対の第２の面とを有し、係合部材は接続部材のベースの第１の面に接続されることが好ましい。
【０００８】
少なくとも１つの取り付け部材は接続部材のベースの第２の面に固定接続されることが好ましい。
【０００９】
物体の接続部は入口端、閉鎖端及び該入口端と該閉鎖端との間にある中間区画を含み、物体の係合位置は物体の入口端にあることが好ましい。
【００１０】
接続部材のベースは係合部材の少なくとも１つの係合部が貫通するための少なくとも１つの貫通孔を有し、該少なくとも１つの貫通孔は物体の入口端に対応することが好ましい。
【００１１】
物体の接続部の入口端は第１の幅を有し、物体の接続部の中間区画は該第１の幅よりも小さい第２の幅を有し、少なくとも１つの取り付け部材は頭部及び本体部を含み、該頭部の外形寸法は第１の幅よりも小さいが第２の幅よりも大きく、頭部が物体の接続部の入口端に入り、中間区画を通って閉鎖端と当接した場合、頭部は、頭部が物体の接続部の入口端から自由に外れることができないように係合部材の少なくとも１つの係合部を通じて係合位置で物体と係合することが好ましい。
【００１２】
物体の接続部は入口端、閉鎖端及び該入口端と該閉鎖端との間にある中間区画を含み、物体の接続部の入口端は第１の幅を有し、物体の接続部の中間区画は該第１の幅と実質的に等しい第２の幅を有し、少なくとも１つの取り付け部材は頭部及び本体部を含み、該頭部の外形寸法は第１の幅よりも大きく、該本体部の外形寸法は第１の幅よりも小さく、頭部が物体の接続部の入口端に入り中間区画を通って閉鎖端に当接した場合、頭部は、頭部が物体の接続部の入口端から自由に外れることができないように係合部材の少なくとも１つの係合部を通じて係合位置で物体と係合することが好ましい。
【００１３】
係合部材は、少なくとも１つの係合部に接続される少なくとも１つの弾性アームを有することが好ましい。
【００１４】
物体はレール部材であることが好ましい。
【００１５】
接続部材の接続部はケーブル管理アームに接続されるように構成されている。
【００１６】
接続装置は接続部材に枢結される操作部材をさらに含み、操作部材は、操作部材の操作を通じて係合部材の少なくとも１つの係合部が接続部材に対して可動となるように係合部材の一部と当接する接触部を有することが好ましい。
【００１７】
物体は別の接続部と、接続部材に固定取り付けされる別の取り付け部材とをさらに含み、接続部材が物体に接続された場合、別の取り付け部材と別の接続部とが互いに当接できることが好ましい。
【００１８】
物体の係合位置は物体の位置決め孔にあり、該位置決め孔の位置は接続部の位置とは異なることが好ましい。
【００１９】
本発明の別の実施形態によれば、接続装置はレール部材に取り外し可能に接続される。レール部材は接続部を含み、接続装置は、接続部材と、係合部材と、少なくとも１つの取り付け部材とを含む。接続部材はベースと、該ベースに接続される接続部とを含み、係合部材は接続部材に接続され、係合部材は少なくとも１つの係合部を有し、少なくとも１つの取り付け部材は接続部材に取り付けられ、少なくとも１つの取り付け部材は頭部及び本体部を含み、レール部材の接続部は入口端、閉鎖端及び該入口端と該閉鎖端との間にある中間区画を含む。レール部材の接続部の入口端は第１の幅を有し、中間区画は該第１の幅よりも小さい第２の幅を有する。少なくとも１つの取り付け部材の頭部の外形寸法は第１の幅よりも小さいが第２の幅よりも大きく、頭部がレール部材の接続部の入口端に入り中間区画を通って閉鎖端と当接した場合、係合部材の少なくとも１つの係合部は、頭部がレール部材の接続部の入口端から自由に外れないようにレール部材の係合位置でレール部材と係合する。係合部材は、少なくとも１つの取り付け部材がレール部材の接続部から外れて接続部材をレール部材から取り外すことができるよう少なくとも１つの係合部をレール部材の係合位置から外すように動作可能である。
【００２０】
様々な図面に図示する下記の好ましい実施形態の詳細な説明を読み終えた後、本発明の上記の目的及び他の目的が当業者に間違いなく明らかになる。
【図面の簡単な説明】
【００２１】
【図１】図１は、本発明の第１の実施形態に係る、スライドレールアセンブリのレール部材をケーブル管理装置のケーブル管理アームに接続する接続装置を示す概略図である。
【図２】図２は、本発明の第１の実施形態に係るスライドレールアセンブリ及びケーブル管理装置を示す概略図である。
【図３】図３は、本発明の第１の実施形態に係る接続装置を示す分解図である。
【図４】図４は、本発明の第１の実施形態に係る接続装置及びレール部材を示す概略図である。
【図５】図５は、本発明の第１の実施形態に係る、レール部材に取り付けるための接続装置の取り付けプロセスを示す概略図である。
【図６】図６は、本発明の第１の実施形態に係る、レール部材に接続された接続装置を示す概略図である。
【図７】図７は、本発明の第１の実施形態に係る、レール部材に接続された接続装置をある視角で示す概略図であり、係合部はレール部材の所定の位置で係合されている。
【図８】図８は、本発明の第１の実施形態に係る、レール部材に接続された接続装置を別の視角で示す概略図であり、係合部はレール部材の所定の位置で係合されている。。
【図９】図９は、本発明の第１の実施形態に係る、レール部材に接続された接続装置をある視角で示す概略図であり、係合部はレール部材の所定の位置から外れている。
【図１０】図１０は、本発明の第１の実施形態に係る、レール部材に接続された接続装置を別の視角で示す概略図であり、係合部はレール部材の所定の位置から外れている。
【図１１】図１１は、本発明の第２の実施形態に係る接続装置を示す分解図である。
【図１２】図１２は、本発明の第２の実施形態に係る接続装置及びレール部材を示す概略図である。
【図１３】図１３は、本発明の第２の実施形態に係る、レール部材に取り付けるための接続装置の取り付けプロセスを示す概略図である。
【図１４】図１４は、本発明の第２の実施形態に係る、レール部材に接続された接続装置を示す概略図である。
【図１５】図１５は、本発明の第２の実施形態に係る、レール部材に接続された接続装置を示す概略図であり、係合部はレール部材の所定の位置で係合している。
【図１６】図１６は、本発明の第２の実施形態に係る、レール部材に接続された接続装置を示す概略図であり、係合部はレール部材の所定の位置から外れている。
【発明を実施するための形態】
【００２２】
図１及び図２に示すように、本発明の第１の実施形態のスライドレールアセンブリ２０は第１のレール部材２２と、第１のレール部材２２に対して可動な第２のレール部材２４とを含み、ケーブル管理装置２８は、スライドレールアセンブリ２０によって保持される保持物体（例えば電子機器）のケーブルを管理するのに用いられる。ケーブル管理装置２８は第１のケーブル管理アーム３０及び第２のケーブル管理アーム３２を含み、第１のケーブル管理アーム３０の一端と第２のケーブル管理アーム３２の一端とが互いに枢結される。第１のケーブル管理アーム３０の他端は第１のレール部材２２の後端２２ａに取り外し可能に接続され、第２のケーブル管理アーム３２の他端は接続装置３４に取り外し可能に接続される。実際の用途では、接続装置３４は取り外し可能に物体に接続される。本実施形態では、物体はレール部材であり、以下では第２のレール部材２４を一例として説明する。
【００２３】
図３及び図４に示すように、第２のレール部材２４は接続部３６を含む。接続部３６は入口端３６ａ、閉鎖端３６ｂ及び入口端３６ａと閉鎖端３６ｂとの間の中間区画３６ｃを含む。第２のレール部材２４は入口端３６ａに係合位置３８を有し、一例として係合位置３８は入口端３６ａを取り囲む壁又は面によって定義される。より具体的には、接続部３６の入口端３６ａは第１の幅Ｗ１を有し、中間区画３６ｃは第１の幅Ｗ１よりも小さい第２の幅Ｗ２を有する。第２のレール部材２４は接続部３６とは別個の別の接続部４０をさらに含むことが好ましい。一例として、別の接続部４０はスロットであり得るが、本発明はそのような構成に限定されない。
【００２４】
接続装置３４は接続部材４２、係合部材４４及び少なくとも１つの取り付け部材４６を含む。接続装置３４は別の取り付け部材４８及び操作部材５０をさらに含むことが好ましい。
【００２５】
接続部材４２はベース５２と、ベース５２に接続される接続部５４とを含む。接続部５４は、接続部材４２にケーブル管理アーム（例えば前述の第２のケーブル管理アーム３２）を接続するためのものであることが好ましい。ベース５２は第１の面Ｓ１と、第１の面Ｓ１と反対の第２の面Ｓ２とを有することが好ましい。接続部材４２のベース５２は少なくとも１つの貫通孔５５を有することが好ましい。
【００２６】
係合部材４４は接続部材４２に接続される。係合部材４４は少なくとも１つの係合部５６を有する。少なくとも１つの係合部５６は例えば突起又はフックであるが、本発明はそのような構成に限定されない。係合部材４４は少なくとも１つの係合部５６に接続される少なくとも１つの弾性アーム４５を有することが好ましい。係合部材４４は接続部材４２のベース５２の第１の面Ｓ１に接続されるのが好ましい。係合部材４４の少なくとも１つの係合部５６は接続部材４２の貫通孔５５を貫通し、少なくとも１つの係合部５６の位置は第２のレール部材２４の入口端３６ａに対応する（図６を参照されたい）。
【００２７】
少なくとも１つの取り付け部材４６及び別の取り付け部材４８は接続部材４２に取り付けられる。少なくとも１つの取り付け部材４６及び別の取り付け部材４８は、接続部材４２のベース５２の第２の面Ｓ２に固定取り付けされることが好ましい。少なくとも１つの取り付け部材４６は頭部４６ａと、頭部４６ａに接続される本体部４６ｂとを含む。本体部４６ｂの一端は接続部材４２のベース５２の第２の面Ｓ２に接続される。さらに、頭部４６ａの外形寸法は接続部３６の第１の幅Ｗ１よりも小さく、頭部４６ａの外形寸法は接続部３６の第２の幅Ｗ２よりも大きい。本体部４６ｂの外形寸法は接続部３６の第２の幅Ｗ２以下である。２つの取り付け部材４６、４８は同一の構造を有することが好ましい。
【００２８】
操作部材５０は係合部材４４を動かすために操作されるよう構成されている。操作部材５０はシャフト部材５８を通じて接続部材４２の少なくとも１つの耳部６０に枢結されることが好ましい。
【００２９】
（図４及び図５に示す）取り付けプロセスの間、接続装置３４は第２のレール部材２４に対して第１の位置Ｐ１にあり得る。接続装置３４が（図５に示す）第１の位置Ｐ１にある場合、少なくとも１つの取り付け部材４６の頭部４６ａは第２のレール部材２４の接続部３６の入口端３６ａを通過できる。他方、別の取り付け部材４８は第２のレール部材２４の別の接続部４０の入口の近くにある。
【００３０】
図６、図７及び図８に示すように、第２のレール部材２４に接続する接続装置３４の取り付けプロセスは、接続装置３４が第２のレール部材２４に対して第２の位置Ｐ２にあるように構成された場合に完了する。接続装置３４の少なくとも１つの取り付け部材４６と第２のレール部材２４の接続部３６とが互いに当接すると、係合部材４４の少なくとも１つの係合部５６は、接続部材４２のベース５２が第２のレール部材２４に接続されるように第２のレール部材２４の係合位置３８で係合できる。接続部材４２が第２のレール部材２４に接続された場合、別の取り付け部材４８及び別の接続部４０が互いに当接することが好ましい。
【００３１】
実際の用途では、接続装置３４は第２のレール部材２４に対して（図５に示す）第１の位置Ｐ１から（図６に示す）第２の位置Ｐ２へと方向Ｄに動かすことができる。このプロセスの間、少なくとも１つの取り付け部材４６の頭部４６ａは接続部３６の入口端３６ａを通じて中間区画３６ｃを通り閉鎖端３６ｂに当接する。この時、頭部４６ａは、頭部４６ａが第２のレール部材２４の接続部３６の入口端３６ａから自由に外れたり取り外されたりすることができないように、係合部材４４の少なくとも１つの係合部５６を通じて係合位置３８で第２のレール部材２４と係合する。少なくとも１つの係合部５６は、前述の弾性アーム４５の弾性力を通じて第２のレール部材２４の係合位置３８と係合した状態で留まることが好ましい。他方、接続装置３４が第２のレール部材２４に対して第２の位置Ｐ２にある場合、別の取り付け部材４８は第２のレール部材２４の別の接続部４０に入り当接する。
【００３２】
接続装置３４が第２のレール部材２４に対して（図７、図８、図９及び図１０に示すように）第２の位置Ｐ２にある場合、係合部材４４は、少なくとも１つの取り付け部材４６が第２のレール部材２４の接続部３６から外れて接続部材４２が第２のレール部材２４から取り外すことができるよう少なくとも１つの係合部５６を第２のレール部材２４の係合位置３８から外すよう動作可能である。
【００３３】
実際の用途では、ユーザーが接続装置３４を第２のレール部材２４から取り除くことを望む場合、ユーザーは、（図１０に示すように）係合部材４４を操作して係合部材４４の少なくとも１つの係合部５６が第２のレール部材２４の係合位置３８でもはや係合しないように（係合部材４４の少なくとも１つの係合部５６が図７に示す第２のレール部材２４の係合位置３８で係合した状態から、図９に示す第２のレール部材２４の係合位置３８から外れた状態になるように）して、少なくとも１つの取り付け部材４６の頭部４６ａが第２のレール部材２４の接続部３６の入口端３６ａから出るように又は外れるようにすることができる。即ち、接続部材４２は第２のレール部材２４の接続部３６から外れて、接続部材４２を第２のレール部材２４から取り外すことができる（どのようにして接続部材４２を第２のレール部材２４から外すかについては図５及び図４を連続して参照されたい）。操作部材５０は（図８に示す）係合部材４４の部分６４と当接する接触部６２を有することが好ましい。力Ｆが（図１０に示す）操作部材５０に加えられると、係合部材４４の少なくとも１つの係合部５６は接続部材４２に対して可動となり、少なくとも１つの係合部５６が係合位置３８で第２のレール部材２４ともはや係合しないようにする。
【００３４】
図１１及び図１２に示すように、本発明の第２の実施形態の接続装置２００は物体に取り外し可能に接続され、該物体はレール部材２０２である。レール部材２０２の接続部２０３は入口端２０３ａ、閉鎖端２０３ｂ及び入口端２０３ａと閉鎖端２０３ｂとの間にある中間区画２０３ｃを含む。入口端２０３ａは第１の幅Ｗ１を有し、中間区画２０３ｃは第１の幅Ｗ１と実質的に等しい第２の幅Ｗ２を有する。レール部材２０２の係合位置２０５はレール部材２０２の位置決め孔Ｈにあり、位置決め孔Ｈの位置は接続部２０３の位置とは異なる。即ち、係合部２０５は位置決め孔Ｈを取り囲む壁又は面によって定義される。
【００３５】
接続装置２００は接続部材２０４、係合部材２０６及び少なくとも１つの取り付け部材２０８を含む。接続部材２０４はベース２１０と、ベース２１０に接続される接続部２１２とを含む。係合部材２０６は接続部材２０４に接続され、係合部材２０６は少なくとも１つの係合部２１４を有する。係合部材２０６は少なくとも１つの係合部２１４に接続される少なくとも１つの弾性アーム２１６を有することが好ましい。少なくとも１つの取り付け部材２０８は接続部材２０４に取り付けられる。例えば、少なくとも１つの取り付け部材２０８は接続部材２０４のベース２１０に配置される。少なくとも１つの取り付け部材２０８は頭部２０８ａ及び本体部２０８ｂを含み、頭部２０８ａの外形寸法は第１の幅Ｗ１よりも大きく、本体部２０８ｂの外形寸法は第１の幅Ｗ１よりも小さい。
【００３６】
図１２、図１３、図１４に示すように、少なくとも１つの取り付け部材２０８とレール部材２０２の接続部２０３とが互いに当接すると、係合部材２０６の少なくとも１つの係合部２１４は、接続部材２０４のベース２１０がレール部材２０２に接続されるように（図１４に示す）係合位置２０５でレール部材２０２と係合できる。
【００３７】
実際の用途では、接続装置２００は、レール部材２０２に対して（図１３に示す）第１の位置Ｐ１から（図１４に示す）第２の位置Ｐ２に動かすことができる。このプロセスの間、接続装置２００の少なくとも１つの取り付け部材２０８の頭部２０８ａは接続部２０３の入口端２０３ａを通じて中間区画２０３ｃを通り（図１４に示すように）閉鎖端２０３ｂと当接する。この時、頭部２０８ａは、頭部２０８ａがレール部材２０２の接続部２０３の入口端２０３ａから自由に外れたり取り外されることがないように、係合部材２０６の少なくとも１つの係合部２１４を通じて係合位置２０５でレール部材２０２と係合する。少なくとも１つの係合部２１４は、前述の弾性アーム２１６の弾性力を通じてレール部材２０２の係合位置２０５で係合した状態で留まることが好ましい。
【００３８】
図１５及び図１６に示すように、係合部材２０６は、（図１４に示す）少なくとも１つの取り付け部材２０８がレール２０２の接続部２０３から外れて接続部材２０４をレール部材２０２から取り外すことができるよう少なくとも１つの係合部２１４をレール部材２０２の係合位置２０５から外すために動作可能である。この実施形態では、少なくとも１つの係合部２１４がレール部材２０２の係合部２０５から外れるように（図１６に示すように）係合部材２０６に力Ｆを加えることができる。
【００３９】
本発明に係る前述の実施形態から、本願における接続装置３４、２００は下記の特徴を有することが分かる。
【００４０】
１）接続装置３４、２００は物体（例えばレール部材）に取り外し可能に接続され、接続装置３４、２００は物体をケーブル管理アーム（例えばケーブル管理装置２８の第１のケーブル管理アーム３０又は第２のケーブル管理アーム３２）に接続するのに用いられる。
【００４１】
２）少なくとも１つの取り付け部材４６、２０８及び接続部３６、２０３が互いに当接すると、係合部材４４、２０６の少なくとも１つの係合部５６、２１４は、接続部材４２、２０４のベース５２、２１０が物体に接続されるように係合位置で物体と係合することができる。。
【００４２】
３）係合部材４４、２０６を操作して、少なくとも１つの係合部５６、２１４を物体の係合位置から外すために少なくとも１つの取り付け部材４６、２０８が物体の接続部３６、２０３から取り外されて、接続部材４２、２０４を物体から取り外すことができるようにすることができる。
【００４３】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００４４】
２０  スライドレールアセンブリ
２２  第１のレール部材
２４  第２のレール部材
２８  ケーブル管理装置
３０  第１のケーブル管理アーム
３２  第２のケーブル管理アーム
３４  接続装置
３６  接続部
３６ａ  入口端
３６ｂ  閉鎖端
３６ｃ  中間区画
３８  係合位置
４０  別の接続部
４２  接続部材
４４  係合部材
４６  取り付け部材
４８  別の取り付け部材
５０  操作部材
５２  ベース
５４  接続部
５６  係合部
５８  シャフト部材
６０  耳部
６２  接触部
６４  部分
【図１】
2020012549.tif 000003
【図２】
2020012549.tif 000004
【図３】
2020012549.tif 000005
【図４】
2020012549.tif 000006
【図５】
2020012549.tif 000007
【図６】
2020012549.tif 000008
【図７】
2020012549.tif 000009
【図８】
2020012549.tif 000010
【図９】
2020012549.tif 000011
【図１０】
2020012549.tif 000012
【図１１】
2020012549.tif 000013
【図１２】
2020012549.tif 000014
【図１３】
2020012549.tif 000015
【図１４】
2020012549.tif 000016
【図１５】
2020012549.tif 000017
【図１６】
2020012549.tif 000018